(57)【特許請求の範囲】
【請求項１】
撮像レンズを含む撮像部と表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、
選択可能に表現された前記電子撮像装置の実行可能な複数の機能を前記表示部に表示する表示ステップと、
前記回動手段によって角度が変化させられた前記撮像部と前記表示部との回動状態を検出する検出ステップと、
前記表示ステップにより表示された前記複数の機能の中で、前記検出ステップにより検出された回動状態に対応する機能を択一的に差別表示するとともに、この択一的に差別表示された機能を実行させる機能選択ステップと、
を前記電子撮像装置に実行させることを特徴とする選択方法。
【請求項２】
撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、
前記表示部に前記記録画像を再生して表示する表示ステップと、
前記回動手段によって角度が変化させられた前記撮像部と前記表示部との回動状態を検出する検出ステップと、
前記検出ステップにより検出された回動状態に応じて、前記表示ステップにより再生表示されている記録画像を他の記録画像に切り換える画像切換ステップと、
を前記電子撮像装置に実行させることを特徴とする選択方法。
【請求項３】
撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、
前記表示部に複数の記録画像を表示する表示ステップと、
前記回動手段によって角度が変化させられた前記撮像部と前記表示部との回動状態を検出する検出ステップと、
前記検出ステップにより検出された回動状態に応じて、前記表示ステップにより再生表示されている複数の記録画像のうちの１つ或いは複数の画像を差別表示するとともに、この差別表示された画像を、所定の処理の対象として選択する画像選択ステップと、
を前記電子撮像装置に実行させることを特徴とする選択方法。
【請求項４】
撮像レンズを含む撮像部と表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、
前記電子撮像装置の実行可能な機能を表現した複数の機能選択用情報を前記表示部に表示する表示手段と、
前記回動手段によって角度が変化させられた前記撮像部と前記表示部との回動状態を検出する回動状態検出手段と、
前記表示手段により表示された前記複数の機能選択用情報の中で、前記回動状態検出手段により検出された回動状態に対応する機能選択用情報を択一的に差別表示する表示制御手段と、
前記表示制御手段により択一的に差別的表示された機能選択用情報に対応する機能を実行させる機能選択指示手段を備えることを特徴とする電子撮像装置。
【請求項５】
撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、
前記回動手段によって角度が変化させられた前記撮像部と前記表示部との回動状態を検出する回動状態検出手段と、
前記記録画像を再生して前記表示部に表示する画像再生手段と、
前記回動状態検出手段により検出された回動状態に応じて、前記画像再生手段により現在再生表示されている記録画像を他の記録画像に切り換える表示制御手段と、
を備えたことを特徴とする電子撮像装置。
【請求項６】
撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、
前記回動手段によって角度が変化させられた前記撮像部と前記表示部との回動状態を検出する回動状態検出手段と、
前記記録画像を複数個再生して前記表示部に同時に表示する画像再生手段と、
前記回動状態検出手段により検出された回動状態に応じて、前記表示部に表示される複数の記録画像のうちの１つ或いは複数の画像を差別表示する表示制御手段と、
前記表示部に差別表示された記録画像を所定の処理の対象として選択する画像選択指示手段を備えたことを特徴とする電子撮像装置。
【請求項７】
前記表示制御手段は、前記回動状態検出手段により検出された前記撮像部の回動回数、回動時間または回動角度に応じて表示制御を行うことを特徴とする請求項４乃至６のいずれか１項に記載の電子撮像装置。
【請求項８】
撮像レンズを含む撮像部と該表示部を含む本体部とが互いに回動可能に接続されることにより該撮像部と該表示部との角度を少なくとも第１の角度から第２の角度まで任意に変化させることが可能な回転手段を備え、該撮像部で撮像される画像を該表示部に表示させることにより該表示部を撮影時のファインダとして機能させた状態で前記回転手段を機能させることが可能な電子撮像装置において、
前記表示部を撮影時のファインダとして機能させていない状態において、前記回転手段によって変化させられた前記撮像部と前記表示部との角度を検出する検出ステップと、
前記検出ステップにより検出された角度が、予め前記第１の角度から前記第２の角度の間に割り当てられている角度のいずれかであるかを判断する判断ステップと、
選択可能な複数の指示操作のうち、前記判断ステップにより判断された角度に対応して予め決められている指示操作を選択する選択ステップと、
を前記電子撮像装置に実行させることを特徴とする選択方法。
【請求項９】
撮像レンズを含む撮像部と該表示部を含む本体部とが互いに回動可能に接続されることにより該撮像部と該表示部との角度を少なくとも第１の角度から第２の角度まで任意に変化させることが可能な回転手段を備え、該撮像部で撮像される画像を該表示部に表示させることにより該表示部を撮影時のファインダとして機能させた状態で前記回転手段を機能させることが可能な電子撮像装置において、
前記回転手段により変化させることが可能な前記第１の角度から前記第２の角度の間にある複数の角度の各々に対して、前記電子撮像装置に対する異なる指示操作を割り当てる割当手段と、
前記表示部を撮影時のファインダとして機能させていない状態において、前記回転手段によって前記撮像部と前記表示部との角度が変化させられた場合は、変化後の角度に対応して前記割当手段により割り当てられている指示操作を実行させる制御手段と、
を備えることを特徴とする電子撮像装置。
【発明の詳細な説明】
【０００１】
【発明の属する技術分野】
本発明はデジタルカメラ等の電子撮像装置におけるモード（機能）の選択時や画像の選択時の選択操作技術に関する。
【０００２】
【従来の技術】
デジタルカメラ等の電子撮像装置で、撮像を行うと共に撮像画像を保存記録する撮像モード（撮像モードは、更に、通常撮影、連写、速写、ムービー撮影、接写、ズーム、ストロボ撮影等のモードを有している場合がある）や、記録画像を再生して表示する再生モード、記録画像を外部装置に送信（転送）する送信（転送）モードや、記録画像の編集等を行う編集モード、記録画像の中から所望の画像を検索する検索モード等の処理モードと、所望の処理モードの選択を可能にしたモード選択機能を備えたものがある。
【０００３】
このようなモード選択の方法として、従来は、
▲１▼  各モードに対応させてスイッチ（ダイヤル型スイッチまたはジョグダイヤルやオン／オフスイッチ等）やボタン等を設け、ユーザはそれらスイッチやボタンを操作して所望の処理を選択するようにしたもの、
▲２▼  各モードを階層化して、階層毎に選択用メニュー、或いはアイコンを表示し、  ユーザはカーソルキーや＋／−キー等を操作して所望のメニューを選択するようにしたものがある。
【０００４】
また、図１の例に示すようにデジタルカメラ等の電子撮像装置１００で、撮像レンズ１１１を含む撮像部１１０と液晶画面（液晶ファインダ）４０’を含む本体１２０で構成し、撮像部１１０と本体１２０とを互いに回動可能に接続（連結）したものがある。
【０００５】
【発明が解決しようとする課題】
従来のモード選択機能付き電子撮像装置では、上述したとおり、スイッチやボタン或いはメニュー（アイコン）選択操作用キー等が必要であるが、電子撮像装置、特に、デジタルカメラを小型化しようとする場合に、スイッチやボタン等の大きさが従来のままでは設計上、小型化に限界があるという問題点があった。また、小型化を進めるために、スイッチやボタン等（例えば、＋／−キー）の大きさを制限する（すなわち、サイズを小さくする）と操作しにくくなるといった問題点があった。
本発明は、選択操作用のスイッチやボタンなしで容易にモード選択操作や画像選択操作等を可能とする選択方法およびそのような選択方法を実現し得る電子撮像装置の提供を目的とする。
【０００６】
【課題を解決するための手段】
上記課題を解決するために、第１の発明の選択方法は、撮像レンズを含む撮像部と表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、選択可能に表現された前記電子撮像装置の実行可能な複数の機能を前記表示部に表示する表示ステップと、前記回動手段によって角度が変化させられた前記撮像部と前記表示部との回動状態を検出する検出ステップと、前記表示ステップにより表示された前記複数の機能の中で、前記検出ステップにより検出された回動状態に対応する機能を択一的に差別表示するとともに、この択一的に差別表示された機能を実行させる機能選択ステップと、を前記電子撮像装置に実行させることを特徴とする。
【０００７】
また、第２の発明の選択方法は、撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、前記表示部に前記記録画像を再生して表示する表示ステップと、前記回動手段によって角度が変化させられた前記撮像部と前記表示部との回動状態を検出する検出ステップと、前記検出ステップにより検出された回動状態に応じて、前記表示ステップにより再生表示されている記録画像を他の記録画像に切り換える画像切換ステップと、を前記電子撮像装置に実行させることを特徴とする。
【０００８】
また、第３の発明の選択方法は、撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、前記表示部に複数の記録画像を表示する表示ステップと、前記回動手段によって角度が変化させられた前記撮像部と前記表示部との回動状態を検出する検出ステップと、前記検出ステップにより検出された回動状態に応じて、前記表示ステップにより再生表示されている複数の記録画像のうちの１つ或いは複数の画像を差別表示するとともに、この差別表示された画像を、所定の処理の対象として選択する画像選択ステップと、を前記電子撮像装置に実行させることを特徴とする。
【０００９】
また、第４の発明の電子撮像装置は、撮像レンズを含む撮像部と表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、前記電子撮像装置の実行可能な機能を表現した複数の機能選択用情報を前記表示部に表示する表示手段と、前記回動手段によって角度が変化させられた前記撮像部と前記表示部との回動状態を検出する回動状態検出手段と、前記表示手段により表示された前記複数の機能選択用情報の中で、前記回動状態検出手段により検出された回動状態に対応する機能選択用情報を択一的に差別表示する表示制御手段と、前記表示制御手段により択一的に差別的表示された機能選択用情報に対応する機能を実行させる機能選択指示手段を備えることを特徴とする。
【００１０】
また、第５の発明の電子撮像装置は、撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、前記回動手段によって角度が変化させられた前記撮像部と前記表示部との回動状態を検出する回動状態検出手段と、前記記録画像を再生して前記表示部に表示する画像再生手段と、前記回動状態検出手段により検出された回動状態に応じて、前記画像再生手段により現在再生表示されている記録画像を他の記録画像に切り換える表示制御手段と、を備えたことを特徴とする。
【００１１】
また、第６の発明の電子撮像装置は、撮像レンズを含む撮像部と撮像画像を保存記録すると共に再生された記録画像を表示する表示部を含む本体部とが互いに回動可能に接続されることにより該撮像部と該表示部との角度を任意に変化させることが可能な回動手段を備え、該撮像部で撮像される画像を該表示部に表示させることにより該表示部を撮影時のファインダとして機能させた状態で前記回動手段を機能させることが可能な電子撮像装置において、前記回動手段によって角度が変化させられた前記撮像部と前記表示部との回動状態を検出する回動状態検出手段と、前記記録画像を複数個再生して前記表示部に同時に表示する画像再生手段と、前記回動状態検出手段により検出された回動状態に応じて、前記表示部に表示される複数の記録画像のうちの１つ或いは複数の画像を差別表示する表示制御手段と、前記表示部に差別表示された記録画像を所定の処理の対象として選択する画像選択指示手段を備えたことを特徴とする。
【００１２】
また、第７の発明は上記台４乃至第６のいずれかの発明の電子撮像装置において、表示制御手段は、回動状態検出手段により検出された撮像部の回動回数、回動時間または回動角度に応じて表示制御を行うことを特徴とする。
また、第８の発明の選択方法は、撮像レンズを含む撮像部と該表示部を含む本体部とが互いに回動可能に接続されることにより該撮像部と該表示部との角度を少なくとも第１の角度から第２の角度まで任意に変化させることが可能な回転手段を備え、該撮像部で撮像される画像を該表示部に表示させることにより該表示部を撮影時のファインダとして機能させた状態で前記回転手段を機能させることが可能な電子撮像装置において、前記表示部を撮影時のファインダとして機能させていない状態において、前記回転手段によって変化させられた前記撮像部と前記表示部との角度を検出する検出ステップと、前記検出ステップにより検出された角度が、予め前記第１の角度から前記第２の角度の間に割り当てられている角度のいずれかであるかを判断する判断ステップと、選択可能な複数の指示操作のうち、前記判断ステップにより判断された角度に対応して予め決められている指示操作を選択する選択ステップと、を前記電子撮像装置に実行させることを特徴とする。
また、第９の発明の電子撮像装置は、撮像レンズを含む撮像部と該表示部を含む本体部とが互いに回動可能に接続されることにより該撮像部と該表示部との角度を少なくとも第１の角度から第２の角度まで任意に変化させることが可能な回転手段を備え、該撮像部で撮像される画像を該表示部に表示させることにより該表示部を撮影時のファインダとして機能させた状態で前記回転手段を機能させることが可能な電子撮像装置において、前記回転手段により変化させることが可能な前記第１の角度から前記第２の角度の間にある複数の角度の各々に対して、前記電子撮像装置に対する異なる指示操作を割り当てる割当手段と、前記表示部を撮影時のファインダとして機能させていない状態において、前記回転手段によって前記撮像部と前記表示部との角度が変化させられた場合は、変化後の角度に対応して前記割当手段により割り当てられている指示操作を実行させる制御手段と、を備えることを特徴とする。
【００１３】
【発明の実施の形態】
図１は本発明の選択方法を適用可能なレンズ部回動型デジタルカメラの外部構成の概要説明図であり、（ａ）はデジタルカメラ１００の正面図である。デジタルカメラ１００は撮像部１１０と本体部１２０とを互いに回動可能に構成した回動型デジタルカメラであり、デジタルカメラ１００の撮像部１１０には撮像レンズ１１１が設けられている。また、（ｂ）は背面図であり、背部には液晶画面４０’が設けられ、上部にはシャッターボタン３７が設けられている。また、（ｃ）は撮像部１１０を左手で反時計回りに回動させた状態（つまり、向こう側に撮像部１１０を回した状態）を示す図である。また、（ｄ）は撮像部を左手で時計回りに回動させた状態（つまり、撮像部１１０を手前側に回した状態）を示す図である。
【００１４】
本発明の選択方法では後述するように機能（モード）選択用のメニュー（或いはアイコン）（図３）や画像（図８）を液晶画面４０’に表示し、ユーザが撮像部１１０を回動させるとその回転角度を基にメニュー或いは画像等を差別的に表示し、選択決定キー（実施例ではシャッターボタン３７）が操作されるとモード或いは画像の選択が行われる。また、モード或いは画像の選択後は選択した処理に移行する。なお、メニュー又は画像の差別表示は以下の実施例ではカーソル表示、またはマークの付加表示で行っているが、これらに限定されず、対象となるメニュー又は画像の一部分または全部の強調表示、反転表示、色違い表示、等、対象となるメニュー又は画像を差別的に表示できる方法であればよい。
【００１５】
このように構成することにより、機能や画像の選択用のスイッチやボタンを少なくすることができる（従来、少なくとも、＋／−キーを用いていた操作は撮像部１１０の回動で代えることができる）ので、デジタルカメラのより一層の小型化を実現できる。また、通常のスイッチに比べてサイズの大きい撮像部１１０の回動操作でメニューや画像等の選択ができるので、カメラが小型化されても選択操作がしやすい。
なお、本実施例では図１（ａ）に示すようにデジタルカメラ１００の前側から見て撮像部１１０を本体部１２０の右側になるようにしたが、撮像部１１０を本体部１２０の左側に配置するようにしてもよい。
【００１６】
［回路構成例］
図２は本発明を適用した撮像装置の一実施例としてのデジタルカメラの回路構成例を示すブロック図であり、図２でデジタルカメラ１００は、光学系１１、信号変換部１２、信号処理部１３、ＤＲＡＭ１４、回転検出部１５、制御部２０、操作部３０、表示部４０、フラッシュメモリ５０および電源９０を備えている。また、光学系１１および信号変換部１２は図２に示すように撮像部１１０に収容され、信号処理部１３〜電源９０を含む本体部１２０と互いに回動可能に構成されている。また、撮像部１１０と本体部１２０の位置関係の変化を検出して検出信号を制御部２０に送出する回転検出部（例えば、マイクロスイッチ）１５が本体１２０側（或いは、撮像部１１０側）に設けられている。
【００１７】
光学系１１は、撮像レンズ１１１および絞り機構、シャッター機構、ストロボ装置等（図示せず）を含み、撮像レンズ１１１を介して集光された被写体画像の光束を後段の撮像素子（ＣＣＤ）上に結像させる。
【００１８】
信号変換部１２は、ＣＣＤとＣＣＤ駆動用回路および信号変換回路等を含み、前段の光学系１１を介してＣＣＤに結像した画像を電気信号に変換し、デジタルデータに変換して一定の周期で出力する。
【００１９】
信号処理部１３は、撮像モード時には信号変換部１２からの出力をカラープロセス処理して、デジタルの輝度信号および色差マルチプレクス信号（Ｙ、Ｃｂ、Ｃｒデータ）等の信号成分を得て、Ｙ、Ｃｂ、Ｃｒデータ（以下、画像データ）をＤＲＡＭ１４にＤＭＡ（ダイレクトメモリーアクセス）転送し、展開する。  また、スルー画像（動画）表示するために、取込んだ画像データを間引いて表示部４０に送る。
また、信号処理部１３は記録保存の際にＤＲＡＭ１４に書込まれている画像データを読み出してＪＰＥＧ圧縮処理を施す。また、再生モード下でフラッシュメモリ５０に保存記録されていた圧縮画像データに伸張処理を施してＤＲＡＭ１４に書込む。
【００２０】
ＤＲＡＭ１４は作業用メモリとして用いられ、撮像画像を一時的に記憶する画像バッファ領域やＪＰＥＧ圧縮／伸張時の作業用領域および設定値等を記憶する領域等が確保される。
【００２１】
回転検出部１５は撮像部１１０と本体部１２０の位置関係の変化（例えば、撮像部１１０の回転角θ）を検出して検出信号を制御部２０に送出する
制御部２０はＣＰＵ、ＲＡＭ、プログラム格納用ＲＯＭおよびタイマ等を有したマイクロプロセッサ構成を有しており、ＣＰＵは上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムやメニューデータを取り出して、デジタルカメラ１００の各機能の実行制御、例えば、撮像や記録画像の再生機能の実行等を行なう他、機能選択（実施例１（図３，図４））や画像選択（実施例２（図６，図７））時に機能選択メニューの表示或いは画像の表示および撮像部１１０の回動に対応する選択カーソルの移動制御やカーソル等で指定された選択機能メニューや画像の選択決定等をおこなう。
なお、実施例ではプログラム格納用ＲＯＭにメニューデータを格納するようにしたがメニューデータ（或いは、アイコン）格納用のＲＯＭを別に設けてもよく、また、プログラムの内部定数としてメニューデータを設定するようにしてもよい。
【００２２】
操作部３０はメインスイッチ（主電源スイッチ）や撮像／再生選択キー（ＲＥＣ／ＰＬＡＹキー）３６、シャッターボタン３７の他、調整スイッチ等のスイッチやボタンを構成部分としており、これらのスイッチ或いはボタンが操作されると状態信号が制御部２０に送出される。
【００２３】
表示部４０はビデオエンコーダ、ＶＲＡＭおよび液晶画面（以下、液晶ファインダ４０’）等から構成されており、制御部２０の表示制御により、処理選択時の機能選択用メニューやガイド（或いはアイコン）や、撮像時のスルー画像および再生時の再生画像等を液晶画面４０’に表示する。また、フラッシュメモリ５０はＪＰＥＧ圧縮された画像データを保存記録する。
【００２４】
＜実施例１＞
図３は撮像部の回動による機能選択の一実施例の説明図であり、再生モードで機能選択用のメニュー７１，７２，７３，・・・（図３の例では、削除（ＤＥＬＥＴＥ），特殊効果（ＥＦＦＥＣＴ），プロテクト（ＰＲＯＴＥＣＴ）），・・・を表示し、ユーザは撮像部１１０を回動させることにより所望の機能を選択できるようにした例である。
【００２５】
図４は回動型デジタルカメラ１００による機能選択時の制御動作の一実施例（図３の場合の例）を示すフローチャートである。
【００２６】
ステップＳ０：（再生モードの選択）
ユーザが撮像／再生選択キー３６を操作して再生モードを選択すると制御部２０に状態信号が送られ、制御部２０は制御をＳ１に移す。
【００２７】
ステップＳ１：（機能選択メニュー表示）
制御部２０は、プログラム格納用ＲＯＭから図３に示すような機能選択用メニューを取り出して表示部４０に送って表示画面４０’に表示させる。実施例ではカーソル７０の初期位置を最初に表示されるメニューのうちのほぼ中央に位置するメニュー（例えば、図３（ａ）に示すように１画面にメニューが３個表示される場合には２番目のメニュー）の位置に表示している。
【００２８】
ステップＳ２：（撮像部の回動操作）
ユーザは表示された機能選択メニューを見てどの機能を選択するかを決定し、撮像部１１０を回動させる。そして、ユーザが撮像部１１０を回動させると回転検出部１５から回転検出信号（回転角度データ）が制御部２０に送られる。制御部２０は回転検出信号を受け取ると制御をＳ３に遷移する。
【００２９】
ステップＳ３：（カーソル位置決定.、カーソル移動）
また、制御部２０は回転検出部１５から送られた回転検出信号から表示画面４０’上でのカーソル位置を決定し、カーソル７０を移動させる。すなわち、回転角θの変化量（増分）Δθが正（Δθ＞０）の場合、すなわち、撮像部１１０が向こう側に回されている場合には図３（ｂ）に示すように現在のカーソル位置より上方にカーソル７０が移動される。また、回転角θの変化量（増分）Δθが負（Δθ＜０）の場合、すなわち、撮像部１１０が手前側に回されている場合には図３（ｃ）に示すように現在のカーソル位置より下方にカーソル７０が移動される。また、図示していないが、撮像部１１０を更に手前（或いは、向こう側）に回すと、メニューをスクロールアップ（或いは、スクロールダウン）させることができる。
【００３０】
ステップＳ４：（機能選択操作の有無判定）
撮像部１１０の回動操作により、カーソル７０が所望のメニュー上に位置したとき、ユーザは選択決定キー（実施例ではシャッターボタン３７）を押してカーソル７０によって示される機能処理を選択することができる。
制御部２０は操作部３０からの状態信号を調べ、ユーザがシャッターボタン３７を押したか否かを判定し、ユーザがシャッターボタン３７を押した場合にはＳ５に遷移する。
【００３１】
ステップＳ５：（対応する機能（処理）への遷移）
上記ステップＳ４でユーザがシャッターボタン３７を押すと、制御部２０はカーソル７０の位置（または、撮像部１１０の基準位置を０゜とする回転角度に対応させて算出した位置）を基に選択された機能メニューに対応する処理に遷移する。
【００３２】
すなわち、図３（ｂ）の例のように撮像部１１０を向こう側に回してカーソルを上方に移動させて「ＤＥＬＥＴＥ」を指定しシャッターボタン３７を押すと記録画像の削除処理に遷移する。また、図３（ｃ）の例のように撮像部１１０を手前側に回して「ＰＲＯＴＥＣＴ」を指定してシャッターボタン３７を押すと記録画像のプロテクト処理に遷移する。また、図３（ａ）の例のように撮像部１１０を回転させることなく「ＥＦＦＥＣＴ」指定のままでシャッターボタン３７を押すと記録画像の特殊効果処理に遷移する。
【００３３】
なお、上記実施例ではメニューの上下スクロール（スクロールアップ又はスクロールダウン）を行うようにしたが、左右にスクロールするようにしてもよい。
【００３４】
なお、本実施例では回動された角度（基準位置からの角度）に対応させてカーソル７０の位置を決定するようにしたが（ステップＳ５）、これに限定されず、上記ステップＳ５で図５に示すようなメニューの位置と撮像部１１０の回転角度を予め対応付けた回転角度／メニュー対応テーブル６０を設けておき、撮像部１１０が所定の角度範囲に回転されたときに対応するメニュー上にカーソル７０を移動（表示）するようにしてもよい。また、撮像部１１０の１回動のピッチ（又は、角度）を決めておき、回動回数に応じてカーソルを移動させるようにしてもよい。また、撮像部１１０の回動の時間（間隔）に応じてカーソルを移動させるようにしてもよい。
また、撮像部１１０と本体１２０の間に回転ギア機構（図示せず）を設け、ギアのピッチにメニューを対応させるようにしてもよい。
【００３５】
また、上記実施例では再生時に表示する機能選択メニューの選択（モード選択）を撮像部１１０の回動操作によって行う場合を例としたが、これに限定されず、撮像時等のモード選択を撮像部１１０の回動操作によって行うこともできる。
【００３６】
上記構成により、本体部と撮像部が回動可能に接続されているデジタルカメラ等の電子撮像装置で、装置を小型化してもモード選択を撮像部の回動操作で行うことができるので操作がしやすい。また、モード選択用のスイッチ（或いはボタン）を省略できるので、より一層の小型化を実現することができる。
また、従来の撮像部回動型のデジタルカメラでは本体部上に設けられていた機能（モード）選択用キーや決定キー等の各種キーを専ら片手（通常は右手）で操作していたが、本実施例では撮像部側も選択用に用いるので、両手をほぼ均等に使用することができ、従来は片方の手に頼っていた煩雑な操作を軽減することができる。
【００３７】
＜実施例２＞
図６は撮像部の回動による画像選択の一実施例の説明図であり、撮像部１１０の回動に追従させて再生画像を１画像ずつスクロールアップまたはスクロールダウンさせて選択するようにした例である。また、図７は撮像部回動型デジタルカメラにおける画像選択時の制御動作の一実施例（図６の例）を示すフローチャートであり、再生画像から所望の画像を選択し、予め選択された特定の処理（例えば、外部装置への送信）を行う場合の例である。
【００３８】
ステップＴ０：（再生モードの選択）
ユーザが撮像／再生選択キー３６を操作して再生モードを選択すると制御部２０に状態信号が送られ、制御部２０は制御をＴ１に移す。
【００３９】
ステップＴ１：（画像再生）
制御部２０はフラッシュメモリ５０に保存記録している画像（圧縮画像データ）を取り出して伸長処理を施して再生しＤＲＡＭ１４に記憶すると共に、表示部４０に送って表示画面４０’上に表示させる（図６（ａ））。
【００４０】
ステップＴ２：（画像選択（決定）の有無判定）
ユーザは表示された再生画像を見てその画像を選択するか否かを決定し、選択する場合には選択決定キー（シャッターボタン３７）を押す。制御部２０は操作部３０からの状態信号を調べ、ユーザがシャッターボタン３７を押したか否かを判定し、ユーザがシャッターボタン３７を押した場合には予め選択された特定の処理（例えば、外部装置への送信処理）に遷移する。
【００４１】
ステップＴ３：（撮像部の回動操作）
ユーザは表示された画像を見て他の画像を選択しようとする場合には撮像部１１０を回動させる。ユーザが撮像部１１０を回動させると回転検出部１５から回転検出信号（回転角度データ）が制御部２０に送られる。制御部２０は回転検出信号を受け取ると制御をＴ４に遷移する。
【００４２】
ステップＴ４：（回転方向の判定）
また、制御部２０は回転検出部１５から送られた回転検出信号を調べ、ユーザーが撮像部１１０をどの方向に回転させたかを判定し、ユーザが正の方向（反時計回り：すなわち、向こう側）に回転させた時にはＴ５に遷移し、負の方向（時計回り、すなわち、手前側）に回転させたときにはＴ７に遷移する。
【００４３】
ステップＴ５：（スクロールアップの可否判定）
上記ステップＴ４で、撮像部１１０が正の方向に回された時に回転角度θ≧Ｐの場合にはＴ６に遷移し、θ＜Ｐの場合にはＴ２に戻る。すなわち、ユーザが撮像部１１０を向こう側に回転させたとき回転角度がＰを越えるとスクロールアップとしてＴ６に遷移し、Ｐを越えないうちはＴ２に戻る。
【００４４】
ステップＴ６：（前画像再生）
上記ステップＴ５でスクロールアップ判定がなされると、制御部２０はフラッシュメモリ５０に保存記録している画像（圧縮画像データ）を回転角度θがＰを越える毎に１画像分ずつ遡って（つまり、回動回数に応じて）取り出して伸長処理を施して再生しＤＲＡＭ１４に記憶すると共に、表示部４０に送って表示画面４０’上に表示させ（図６（ｂ）、（ｃ））、Ｔ２に戻る。
【００４５】
ステップＴ７：（スクロールダウンの可否判定）
上記ステップＴ４で、撮像部１１０が負の方向に回された時に回転角度θ≧Ｐの場合にはＴ８に遷移し、θ＜Ｐの場合にはＴ２に戻る。すなわち、ユーザが撮像部１１０を手前側に回転させたとき回転角度がＰを越えるとスクロールダウンとしてＴ８に遷移し、Ｐを越えないうちはＴ２に戻る。
【００４６】
ステップＴ８：（次画像再生）
上記ステップＴ７でスクロールダウン判定がなされると、制御部２０はフラッシュメモリ５０に保存記録している画像（圧縮画像データ）を回転角度θがＰを越える毎に１画像分づつ取り出して伸長処理を施して再生しＤＲＡＭ１４に記憶すると共に、表示部４０に送って表示画面４０’上に表示させ（図６（ｄ）、（ｅ））、Ｔ２に戻る。
【００４７】
なお、上記実施例では再生画像の上下スクロール（スクロールアップ又はスクロールダウン）を行うようにしたが、左右にスクロールするようにしてもよい。
【００４８】
また、上記ステップＴ５，Ｔ７で回転検出部１５からの回転検出信号を基に撮像部１１０の回転角度を調べ、撮像部１１０が角度Ｐ回転するとスクロールアップ又はスクロールダウンするようにしたが、撮像部１１０と本体１２０の間に回転ギア機構（図示せず）を設け、ギアのピッチに画像のスクロールを対応させるようにしてもよい。
【００４９】
また、本実施例では  回動回数に応じてカーソルを移動させるようにしたが（Ｔ５，Ｔ８）、撮像部１１０の回動の時間（間隔）に応じてカーソルを移動させるようにしてもよい。また、回動された角度（基準位置からの角度）に対応させてカーソル７０の位置を決定するようにしてもよく、また、図５に示すようなメニューの位置と撮像部１１０の回転角度を予め対応付けた回転角度／メニュー対応テーブル６０を設けておき、撮像部１１０が所定の角度範囲に回転されたときに対応するメニュー上にカーソル７０を移動（表示）するようにしてもよい。
【００５０】
上記構成により、再生画像の選択或いはチェック時等に撮像部１１０を回動するだけで前後の画像をスクロールさせて見ることができ、スイッチ或いはボタン操作によるスクロールアップより操作が簡単になる。また、小型化しても画像選択操作が簡単にできる。
＜実施例３＞
図８は撮像部の回動による画像選択の概要説明図であり黒塗りの部分は選択された画像を示す。図８の例で、（ａ）は液晶画面４０’上に複数（この例では４つ）の画像を同時に表示し、そのうちの２画像４１，４２を選択画像とした例であり、（ｂ）は撮像部１１０を正の方向に回転させて画像４２の選択を取り消し、画像４１だけを選択するようにした例である。また、（ｃ）は撮像部１１０を負の方向に回転させてさらに画像４３にカーソルを移動してからシャッターボタン３７を押して更に画像４３を追加選択した例である。
【００５１】
また、図９は複数の画像を同時に表示した場合の１つまたは任意の組み合わせの複数の画像の選択方法の説明図である。また、図１０は撮像部回動型デジタルカメラにおける画像選択時の制御動作の一実施例（図８、図９の例）を示すフローチャートであり、再生画像から所望の画像を選択し、予め選択した特定の処理（例えば、削除（取消）や、外部装置への送信等）を行う場合の例である。なお、本実施例ではシャッターボタン３７を２段シャッターとし、撮像部１１０の回動による画像選択時にはシャッターボタン３７を１段押すと画像の選択（または、選択の取り消し）が行われ、２段押すと予め選択された特定の処理への遷移が行われる。
【００５２】
図９の例で、（ａ）は液晶画面４０’に表示された４つの画像を示し、この時点では撮像部１１０は回動操作されていないのでカーソルは表示されていない。また、（ｂ１）〜（ｂ４）は４画像中１画像を選択した例であり、（ｂ１）は撮像部１１０を負の方向に所定角度回転させて１番目の画像の上にカーソル表示がされた時にシャッターボタン３７を１段押しして１番目の画像だけを選択した例、（ｂ２）は１番目の画像にカーソルが表示された場合には選択をせず、更に撮像部１１０を負の方向に回転させて２番目の画像にカーソルが移動したときにシャッターボタン３７を１段押しして選択した例、（ｂ３）は３番目の画像にカーソルが移動したときにシャッターボタン３７を１段押しして選択した例、（ｂ４）は４番目の画像にカーソルが移動したときにシャッターボタン３７を１段押しして選択した例である。
【００５３】
また、（ｃ１）〜（ｃ６）は４画像中２画像を選択した例であり、（ｃ１）は撮像部１１０を負の方向に所定角度回転させて１番目の画像にカーソル表示がされているときにシャッターボタン３７を１段押しして１番目の画像を選択した後、更に、撮像部１１０を回転させてカーソルを移動し２番目の画像を選択した例、（ｃ２）は１番目の画像を選択した後、更に撮像部１１０を負の方向に回転させて３番目の画像を選択した例、同様に（ｃ３）は１番目と、４番目の画像を選択した例、（ｃ４）は２番目と３番目の画像を選択した例、（ｃ５）は２番目と４番目の画像を選択した例、（ｃ６）は３番目と４番目の画像を選択した例である。
【００５４】
また、（ｄ１）〜（ｄ４）は、４画像中３画像を選択した例であり、（ｄ１）は撮像部１１０を負の方向に回転させて１番目、２番目、３番目の画像を選択するようにした例、同様に（ｄ２）は１番目、２番目、４番目の画像を選択するようにした例、（ｄ３）は２番目、３番目、４番目の画像を選択するようにした例、（ｄ４）は１番目、３番目、４番目の画像を選択するようにした例である。また、（ｅ）は撮像部１１０を負の方向に回転させてカーソルを移動させ、４つの画像全部を選択した例である。
なお、撮像部１１０を正又は負の方向に回転させるとカーソルが左方向又は右方向に移動し、カーソルが選択された画像の上に表示されたとき、シャッターボタン３７を１段押しするとその画像の選択は取り消される。また、選択されていない画像の上にカーソルが表示されたときシャッターボタン３７を１段押しするとその画像が選択される。また、選択された画像とされない画像を区別するために画像の一部に特定のマークを表示するようにする。
【００５５】
ステップＵ０：（再生モードの選択）
図１０で、ユーザが撮像／再生モード選択キー３６を操作して再生モードを選択すると制御部２０に状態信号が送られ、制御部２０は制御をＵ１に移す。
【００５６】
ステップＵ１：（画像の再生）
制御部２０はフラッシュメモリ５０に保存記録している４個の画像（圧縮画像データ）を順次取り出して伸長処理を施して再生し、更に、１／４に縮小処理してそれぞれＤＲＡＭ１４に記憶すると共に、１フレーム分の画像（１／４サイズの４画像）を表示部４０に送って表示画面４０’上にマルチ画像表示させる（図８（ａ））。
【００５７】
ステップＵ２：（選択済みフラグの設定）
また、再生画像の画像番号をそれぞれ選択済みフラグ（初期値は全てオフ）と共に制御部２０のＲＡＭに（或いはＤＲＡＭ１４）に保持（一時的に記憶）する。
【００５８】
ステップＵ３：（撮像部の回動操作）
ユーザは表示された画像を見てカーソルを左右どちらに移動させるかを決定し、撮像部１１０を正・負いずれかの方向に回転させる（撮像部１１０を正の方向に回転させるとカーソルが左方に移動し、負の方向に回転させるとカーソルが右方に移動する）。また、カーソルが右（左）端の画像の位置にある場合に撮像部１１０を負（正）の方向に回転させた場合には、次下（上）段の左（右）端の画像の位置にカーソルが移動する。ユーザが撮像部１１０を回動させると回転検出部１５から回転検出信号が制御部２０に送られる。制御部２０は回転検出信号を受け取ると制御をＵ４に遷移する。
【００５９】
ステップＵ４：（回転方向の判定）
また、制御部２０は回転検出部１５から送られた回転検出信号を調べ、ユーザーが撮像部１１０をどの方向に回転させたかを判定し、ユーザが正の方向（反時計回り：すなわち、向こう側）に回転させた時にはＵ５に遷移し、負の方向（時計回り、すなわち、手前側）に回転させたときにはＵ７に遷移する。
【００６０】
ステップＵ５：（カーソル左移動の可否判定）
撮像部１１０が正の方向に回転された時に回転角度θ≧Ｐである場合にはＵ５に遷移し、θ＜Ｐの場合にはＵ３に戻る。すなわち、ユーザが撮像部１１０を向こう側に回転させたとき回転角度がＰを越えるとカーソル左移動としてＵ６に遷移し、Ｐを越えないうちはＵ３に戻る。
【００６１】
ステップＵ６：（カーソル左移動）
上記ステップＵ５でカーソル左移動判定がなされると、制御部２０はカーソルを左方に１画像分移動してＵ９に遷移する。
【００６２】
ステップＵ７：（カーソル右移動の可否判定）
撮像部１１０が負の方向に回された時に回転角度θ≧Ｐである場合にはＵ８に遷移し、θ＜Ｐの場合にはＵ３に戻る。すなわち、ユーザが撮像部１１０を手前側に回転させたとき回転角度がＰを越えるとカーソル右移動としてとしてＵ８に遷移し、Ｐを越えないうちはＵ３に戻る。
【００６３】
ステップＵ８：（カーソル左移動）
上記ステップＵ７でカーソル右移動判定がなされると、制御部２０はカーソルを右方に１画像分移動する。
【００６４】
ステップＵ９：（選択済画像判定操作の有無）
制御部２０は操作部３０から送られる状態信号を調べ、シャッターボタン３７が１段押しされた場合にはＵ１０に遷移し選択済みでない場合にはＵ３に遷移する。
【００６５】
ステップＵ１０：（選択済み画像の有無判定）
制御部２０は画像毎に設定されている選択済みフラグ（実施例では制御部２０のＲＡＭに画像番号と共に記憶される）のオン／オフを調べ、カーソルが移動した位置の画像が選択済みの画像（選択済み画像＝オン）か否かを判定し、選択済みの画像の場合にはＵ１１に遷移し、そうでない場合にはＵ１２に遷移する。
【００６６】
ステップＵ１１：（選択の取消し）
制御部２０はその画像の選択済みフラグをオフにすると共に、選択済みマークの表示を取り消してＵ１３に遷移する。
【００６７】
ステップＵ１３：（特定処理への移行操作の有無判定）
制御部２０は操作部３０からの状態フラグを調べ、シャッターボタン３７が２段押しされた場合にはＵ１４に遷移し、そうでない場合にはＵ３に遷移する。
【００６８】
ステップＵ１４：（特定処理への移行）
制御部２０はＲＡＭに記憶されている画像番号のうち対応する選択済みフラグがオフのものを削除し、選択済みフラグがオンの画像番号だけをまとめて記憶し直してから、予め選択されている特定の処理（例えば、削除処理や、送信処理）に移行する。
なお、特定処理が削除処理の場合の削除対象の画像はＲＡＭに記憶されている画像番号の画像（選択画像）であり、移行後の削除処理プログラムでＲＡＭに記憶されている画像番号を用いて記憶画像の削除処理を行うことができる。また、特定処理が外部装置への記憶画像の送信処理の場合の削除対象の画像はＲＡＭに記憶されている画像番号の画像（選択画像）であり、移行後の送信処理プログラムでＲＡＭに記憶されている画像番号を用いて記憶画像をフラッシュメモリ５０から取り出して送信することができる。同様に、予め選択される他の特定処理に選択画像を用いることができる。また、画像選択後に、複数の特定処理の中から所望のものを選択するようにしてもよい。
【００６９】
なお、上記ステップＵ１ではフラッシュメモリ５０から４画像を取り出して伸長処理を施した後に１／４サイズに縮小してＤＲＡＭ１４に記憶し、１フレーム分の画像として表示部４０に送るようにしたが、フラッシュメモリ５０から４画像を取り出してそれぞれＤＲＡＭ１４に記憶すると共に、それぞれの画像を表示部４０に送る際に１／４サイズに縮小処理して表示画面４０’上にマルチ画像表示させるようにしてもよい。
【００７０】
また、上記ステップＵ５，Ｕ６で回転検出部からの回転検出信号を基に撮像部１１０の回転角度を調べ、撮像部１１０が角度Ｐだけ回転すると上下左右にカーソルを移動するようにしたが、撮像部１１０と本体１２０の間に回転ギア機構（図示せず）を設け、ギアのピッチでカーソルの移動を決定するようにしてもよい。
また、上記実施例では個々の画像の選択と、選択された画像全体の確認を同一のキー（２段シャッター３７）で行ったが、個々の画像の確認をシャッターボタン３７で行い、選択された画像全体の確認を他のキーに割り当てるようにしてもよい。また、上記実施例１，２，３で選択決定キーをシャッターボタン３７としたがこれに限定されない（他のキーを用いるようにしてもよい）。
【００７１】
また、上記説明では画像数が２×２（４画像）の場合を例としたが、ｎ×ｍの場合にも適用できることは明らかである。
上記構成によれば、装置が小型化してもＫ個の画像をマルチ画像表示して１個或いは複数（ｑ個（ｑ＜Ｋ））の画像を簡単な操作で選択し、一括削除（取消）処理や一括送信処理等を行うことができる。
【００７２】
また、マルチ表示された画像の中からキー操作で所望の画像を複数個任意に選択する場合には、本体部上や液晶画面の近くに設けられているスイッチやボタン等にキーを片手で頻繁に操作しながら小さなマルチ画像を見て操作しなければならないので時間がかかるが、本実施例では撮像部の回動とシャッターボタン３７の操作、すなわち、右手と左手でそれぞれ１つの部材を操作すればよいので操作が簡単であり、表示画面上の小さなマルチ表示画像もよく見ることができる。
【００７３】
また、上記各実施例では撮像部１１０を向こう側及び手前側に回動させた場合にカーソルが移動するようにしたが、どちらか一方にのみ回動させた場合にカーソルが移動するように（例えば、循環的にカーソルが移動するように）してもよい。
【００７４】
以上本発明のいくつかの実施例について説明したが、本発明は上記各実施例に限定されるものではなく、種々の変形実施が可能であることはいうまでもない。
【００７５】
【発明の効果】
以上説明したように、本発明によれば撮像部の回動操作で機能選択や画像の選択を行うことができるので、それらに必要な選択キーをなくすことができ、撮像部回動型の電子撮像装置の小型化に寄与し得る。
【００７６】
また、電子撮像装置が小型化してもキーに比べサイズの大きい撮像部を回動させれば機能や画像を容易に選択でき、小型化に伴って小さくなるボタンやスイッチ等を用いる場合と比較すると特段に操作しやすい。
【図面の簡単な説明】
【図１】本発明の選択方法を適用可能なレンズ部回動型デジタルカメラの外部構成の概要説明図である。
【図２】本発明を適用した撮像装置の一実施例としてのデジタルカメラの回路構成例を示すブロック図である。
【図３】撮像部の回動による機能選択の一実施例の説明図である。
【図４】撮像部回動型デジタルカメラにおける機能選択時の制御動作の一実施例を示すフローチャートである。
【図５】回転角度／メニュー対応テーブルの一実施例を示す図である。
【図６】撮像部の回動による画像選択の一実施例の説明図である。
【図７】撮像部回動型デジタルカメラにおける画像選択時の制御動作の一実施例を示すフローチャートである。
【図８】撮像部の回動による画像選択の一実施例の説明図である。
【図９】撮像部の回動による画像選択の詳細説明図である。
【図１０】撮像部回動型デジタルカメラにおける画像選択時の制御動作の一実施例を示すフローチャートである。
【符号の説明】
１５  回転検出部（回動状態検出手段）
２０  制御部（表示制御手段、差別表示制御手段、画像再生制御手段）
３７  シャッターボタン（機能選択指示手段、画像選択指示手段））
４０  表示部
７１，７２，７３  機能（モード）選択用メニュー（機能選択用情報）
１００  デジタルカメラ（電子撮像装置）
１１０  撮像部
１２０  本体部
【図１】
0004192320.tif 000002
【図２】
0004192320.tif 000003
【図３】
0004192320.tif 000004
【図４】
0004192320.tif 000005
【図５】
0004192320.tif 000006
【図６】
0004192320.tif 000007
【図７】
0004192320.tif 000008
【図８】
0004192320.tif 000009
【図９】
0004192320.tif 000010
【図１０】
0004192320.tif 000011